(57)【要約】      （修正有）【課題】硬貨を簡単に挿入と保持し、空気清浄機能と広告手段を収容する為のより良いコインホルダーを提供する。【解決手段】コインホルダーの直方体のベース本体１０は、上面１００と、底面１０１と側面を有し、上面から底面に垂直に延びた硬貨収納用の円筒状貫通孔１１が設けられる。円筒状貫通孔に設けられる底壁１１１は、ベース本体の底面方向から圧力が加えられると円筒状貫通孔内にスライドする。側面には広告手段２を取り付ける為の領域１０２０が設けられる。【選択図】図１
0003169765.tif 000002
【実用新案登録請求の範囲】
【請求項１】
完璧なコインホルダーは、上面（１００）とほぼ平行に設計された扁平な底面（１０１）及び側面（１０２）を有する一般的な直方体形のベース本体（１０）です。それは次の特徴があります：前記ベース本体には円筒状のキャビティ（１１）が設計され、硬貨収納用で、上面から底面に垂直に延び、循環入力オリフィス（１１０）を所有しています；-空洞（１１）は其々の底壁（１１１）に円形プラークの形で設計され、ベース本体の底面に圧力を加える時、キャビティ内にスライドするようになっています。-側面（１０２）には広告手段（２）を取り付ける為の適応ゾーン（１０２０）が設計されています；又-コインホルダーのベース本体（１０）は空気清浄設備を設置するようになっています。
【請求項２】
上面（１００）とほぼ平行に設計された扁平な底面（１０１）及び側面（１０２）を有する直方体形のベース本体（１０）を備え、
前記ベース本体（１０）は、
円筒状孔
（１１）と、
当該円筒状孔（１１）に硬貨収納用で、前記ベース本体の上面（１００）から底面（１０１）に垂直に延びる貫通孔
（１１０）と、
円筒状孔（１１）に円形プラークの形で設計された底壁（１１１）と、
側面（１０２）に設けられた広告手段（２）を取り付ける為の適応ゾーン（１０２０）と、
空気清浄機能を有する空気清浄機能部と、を含み、
前記円筒状孔（１１）は其々の底壁（１１１）に、ベース本体（１０）の底面（１０１）に圧力を加えた場合、前記貫通孔（１１０）内にスライドすることを特徴とするコインホルダー。
【請求項３】
前記ベース本体（１０）は、香りの材料からなる芳香部材からなることを特徴とする請求項１または２記載のコインホルダー。
【請求項４】
前記ベース本体（１０）は、香り要素（１２０）の筐体交換用の空間（１２）を有することを特徴とする請求項１から３のいずれか１項に記載のコインホルダー。
【請求項５】
少なくとも一つの円筒状孔（１１）は、貫通孔（１１０）を含み、第１の反転円錐形部位（１１２）から第２の円筒部（１１３）に延びていることを特徴とする請求項１から４のいずれか１項に記載のコインホルダー。
【請求項６】
第２の円筒部（１１３）には、入れたコインを保持するために、垂直方向に延び、かつ円筒内部方向に等辺角で突起した突起部（１１３０）が設けられ、
前記突起部（１１３０）は、底壁（１１１）の配置溝（１１１０）のガイド機能を有することを特徴とする請求項５記載のコインホルダー。
【請求項７】
前記側面（１０２）は、スロットとしてゾーン（１０２０）が設けられたことを特徴とする請求項１から６のいずれか１項に記載のコインホルダー。
【請求項８】
ベース本体（１０）は、一の突起付属（１３）を有することを特徴とする請求項１から７のいずれか１項に記載のコインホルダー。
【請求項９】
前記ベース本体（１０）および突起付属（１３）のうちいずれか一方または両方には、少なくとも１つのフック孔（１４）を有することを特徴とする請求項８記載のコインホルダー。
【請求項１０】
前記貫通孔（１１０）の周囲には、コインに対応する値の文字または数字が表示形成されたことを特徴とする請求項１から９のいずれか１項に記載のコインホルダー。
【請求項１１】
前記第２の円筒部（１１３）および／または突起部（１１３０）の側壁には、格納コインの数量を示す横断マーク（１５）が形成されたことを特徴とする請求項６記載のコインホルダー。
【考案の詳細な説明】
【技術分野】
【０００１】
本考案は、コインホルダーに関する。
【背景技術】
【０００２】
従来、コインホルダーについて種々の研究および開発が行われている。特許文献１には、ユーロ又はユーロより小さいコイン用コインホルダーの一種で、違う直径の幾つかの円形穴の直方体デポジットフラットをベースにして異なる値の硬貨を格納することができる物について開示されている。
【先行技術文献】
【特許文献】
【０００３】
【特許文献１】スペイン特許第１０６７８９６９号公報
【考案の概要】
【考案が解決しようとする課題】
【０００４】
特許文献１には、ユーロ又はユーロより小さいコイン用コインホルダーの一種で、違う直径の幾つかの円形穴の直方体デポジットフラットをベースにして異なる値の硬貨を格納することができる物について開示されている。ホルダーはゴム材料で作られており、ホルダーは底壁にプラークが設計され、上部に四つの突起が設計されている。
従来工芸の観点から見ると、本考案の目的は、硬貨を簡単に挿入と保持し、空気清浄機能と広告手段を収容する為のより良いコインホルダーを設計開発し提供することである。
【課題を解決するための手段】
【０００５】
本考案の目的は請求項１に開示されている特徴により達成されます。他の利点は従属請求項に開示されている特徴により達成されます。
【０００６】
該当コインホルダーの上部と底面及び側面は基本的にフラットで、一般的な直方形状を有する本体を含み、本考案により、次の特徴がある。  
前記ベース本体には底部に円筒状空洞を持つように設計してコインの格納用にし、上面から垂直に拡張され、必要な円形の入力オリフィスがある。
ベース本体の底面に圧力を加える時、キャビティ内にスライドする様に空洞は円形プラークの形で其々の底壁に設計されている。側面には広告手段を取り付ける場所が適宜設計されている、又コインホルダーのベース本体は空気清浄用香りを放出するように構成されている。底部本体の有利な追加特徴として、ベース本体は香りの材料で作成した。
【０００７】
同様に、本考案の他の有利な追加特徴としては、ベース本体に香り要素の筐体を交換する目的でスペースを用意したことである。
【０００８】
同様に、本考案の他の有利な追加特徴としては、入力オリフィスが含まれており、第二の円筒部に延びる第一の円錐部が有する空洞によってコインの挿入を容易にする。
【０００９】
同様に、本考案の他の有利な追加特徴としては、コインを本体のキャビティ内に保持するのは各キャビティ内の第二の円筒部分で、円形の垂直方向の突起が装置され、其々の底部に設計された対応するガイド溝としてベース本体の底面に圧力を加えてコインを抽出する時、各キャビティを介してその変位を容易にする。
【００１０】
同様に、本考案の他の有利な追加特徴としては、ベース本体の側面に対応する広告手段を配置できるあるスロットを配置した。
【００１１】
同様に、本考案の他の有利な追加特徴としては、ハンドルとしてベース本体に突起を配置した。
【００１２】
同様に、本考案の他の有利な追加特徴としては、ベース本体またはポータブルの突起にフック孔を配置した。
【００１３】
同様に、本考案の他の有利な追加特徴としては、コイン空洞の入力オリフィスの横に番号標識を配置して、コインオリフィスに対応する値を示す。
【００１４】
同様に、本考案の他の有利な追加特徴としては、垂直方向の突起及び／または含まれてるコイン数を示す横断マークを有する円筒部の側壁に配置した。
【図面の簡単な説明】
【００１５】
【図１】本コインホルダー考案の断面図である。
【図２】図1に表現したコインホルダーの上部と下部の断面図である。
【図３】図１に表現したコインホルダーの上部と下部の断面図である。
【図４】図1に表現したコインホルダーのいずれかのコインキャビティの断面図である。
【考案を実施するための形態】
【００１６】
図１に示すように、本考案のコインホルダーは直方体の一般的なベース本体（１０）からなり、ベース本体は、上面（１００）とほぼ平行に設計された特に扁平な底面（１０１）及び側面（１０２）で形成される。
【００１７】
ベース本体（１０）は複数のキャビティ（１１）を有する。例えばキャビティは硬貨収納（図示せず）のシリンダーを含むキャビティで、ベース本体（１０）の上面（１００）から底面（１０１）に垂直に延びて設けられる。図１に示すように、キャビティ（１１）は硬貨を挿入する必要な入力オリフィス（１１０）で、その横には保存可能コインの数値が彫刻されている。または、彫刻等の代わりに他の手段で表示しても良い。
【００１８】
キャビティ（１１）の下部は底壁（１１１）によって円形プラークの形で閉じられている。以下の詳細で説明するようにベース本体底面に圧力を加える時にキャビティ内にスライドするように設計されている。
【００１９】
図１で表示したように、ベース本体（１０）の側面（１０２）には広告手段（２）を取り付ける為の適応ゾーン（１０２０）があり、述べた側面表面に有利なスロットとして設計して配置される。
【００２０】
又、ベース本体（１０）は空気清浄香りの製造によりそれを放つように適合させることができる。例えば、香りの材料又はベース本体（１０）に記憶素子（１２）を設計してもよい。
【００２１】
図４を参照すると、キャビティ（１１）は第一の反転円錐形部位（１１２）を有する構成であり、コインの入力オリフィス（１１０）を備え、第二の円筒部（１１３）に延びて設けられている。
同様に、第二の円筒部（１１３）には円形の垂直方向の突起（１１３０）があり、等辺角の構成で入れた硬貨を保持するに役立ち、同様に有利な特徴があるのはガイド溝（１１１０）で、それぞれの底壁（１１１）に置いており、ベース本体の底面に圧力を加えてコインを抽出する時、キャベティ内の変位を容易にする。
【００２２】
ポータブルの為、ベース本体（１０）は突起付属（１３）で設計され、当該ベース本体（１０）又は突起付属（１３）には少なくとも一つのフック孔（１４）が含めることができる。
【００２３】
同様に、図4のように垂直方向の突起（１１３０）及び／又はキャビティ（１１）の円筒部（１１３）の側壁には専門的な横断マーク（１５）が設計され、格納硬貨の数量を表示する。
【００２４】
このインスタントコインホルダーは、コインホルダーで利用できるだけでなく、同時に空気清浄設備として使用できるし、その特別な構成で広告手段としても使用することができる。
【００２５】
コインホルダーとして使用する場合、ユーザーはコインの値に関する対応入力オリフィス（１１０）の横にマークされた番号に気をつけながら、入れるコインに対応するキャビティ（１１）を決定した後、対応する反転円錐状部位（１１２）の数字を押すと、コインは底壁（１１１）又はプラークによりブロックされるまで空洞を貫通し、円筒部（１１３）に配置されている垂直方向の突起（１１３０）はコインをキャビティ内に固定し、誤って脱落することを防ぎます。コインを抽出する場合、ユーザーは底面（１０１）を押して、対応した底壁又はプファーク（１１）さえ押せば、簡単に入力オリフィス（１１０）を介してコインを抽出することができる。
【００２６】
本考案の好ましい一実施の形態は上記の通りであるが、本考案はそれだけに制限されない。本考案の精神と範囲から逸脱することのない様々な実施形態が他になされることは理解されよう。さらに、本実施形態において、本考案の構成による作用および効果を述べているが、これら作用および効果は、一例であり、本考案を限定するものではない。
【符号の説明】
【００２７】
１０  ベース本体
１００  上面
１０１  底面
１０２  側面
１１１  底壁
【図１】
0003169765.tif 000003
【図２】
0003169765.tif 000004
【図３】
0003169765.tif 000005
【図４】
0003169765.tif 000006
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
完璧なコインホルダーは、上面（１００）とほぼ平行に設計された扁平な底面（１０１）及び側面（１０２）を有する一般的な直方体形のベース本体（１０）であって、
前記ベース本体には円筒状孔（１１）が設計され、硬貨収納用で、上面から底面に垂直に延びた貫通孔（１１０）を有し、
前記円筒状孔（１１）は、其々の底壁（１１１）に略円形飾板（プラーク）の形で設計され、
略円形飾板（プラーク）はベース本体（１０）の底面方向から圧力を加えた時、キャビティ内にスライドし、側面（１０２）には広告手段（２）を取り付ける為の領域（１０２０）が設けられ、
コインホルダーのベース本体（１０）は脱臭または芳香により空気を清浄にする機能を有する空気清浄材質を有するコインホルダー。
【請求項２】
上面（１００）とほぼ平行に設計された扁平な底面（１０１）及び側面（１０２）を有する直方体形のベース本体（１０）を備え、  前記ベース本体（１０）は、  円筒状孔（１１）と、  当該円筒状孔（１１）に硬貨収納用で、前記ベース本体の上面（１００）から底面（１０１）に垂直に延びる貫通孔（１１０）と、  円筒状孔（１１）に略円形飾板（プラーク）の形で設計された底壁（１１１）と、  側面（１０２）に設けられた広告手段（２）を取り付ける為の領域（１０２０）と、  脱臭または芳香により空気を清浄にする機能を有する空気清浄材質と、を含み、  前記円筒状孔（１１）は其々の底壁（１１１）に、ベース本体（１０）の底面（１０１）に圧力を加えた場合、略円形飾板（プラーク）が前記貫通孔（１１０）内にスライドすることを特徴とする請求項１記載のコインホルダー。
【請求項３】
前記ベース本体（１０）は、香りの材料からなる芳香部材からなることを特徴とする請求項１または２記載のコインホルダー。
【請求項４】
前記ベース本体（１０）は、香り要素（１２０）の筐体交換用の空間（１２）を有することを特徴とする請求項１から３のいずれか１項に記載のコインホルダー。
【請求項５】
少なくとも一つの円筒状孔（１１）は、貫通孔（１１０）を含み、第１の逆円錐形部位（テーパ形状）（１１２）から第２の円筒部（１１３）に延びていることを特徴とする請求項１から４のいずれか１項に記載のコインホルダー。
【請求項６】
第２の円筒部（１１３）には、入れたコインを保持するために、垂直方向に延び、かつ円筒内部方向に等辺角で突起した突起部（１１３０）が設けられ、
前記突起部（１１３０）は、底壁（１１１）の配置溝（１１１０）と嵌合しながら底壁（１１１）が上下にスライドする場合のガイド機能を有することを特徴とする請求項５記載のコインホルダー。
【請求項７】
前記側面（１０２）は、溝を有する領域（１０２０）が設けられたことを特徴とする請求項１から６のいずれか１項に記載のコインホルダー。
【請求項８】
ベース本体（１０）は、一の突起付属（１３）を有することを特徴とする請求項１から７のいずれか１項に記載のコインホルダー。
【請求項９】
前記ベース本体（１０）および突起付属（１３）のうちいずれか一方または両方には、少なくとも１つのフック孔（１４）を有することを特徴とする請求項８記載のコインホルダー。
【請求項１０】
前記貫通孔（１１０）の周囲には、コインに対応する値の文字または数字が表示形成されたことを特徴とする請求項１から９のいずれか１項に記載のコインホルダー。
【請求項１１】
前記第２の円筒部（１１３）および／または突起部（１１３０）の側壁には、格納コインの数量を示す横断マーク（１５）が形成されたことを特徴とする請求項６記載のコインホルダー。
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
コインホルダーは、上面（１００）とほぼ平行に設計された扁平な底面（１０１）及び側面（１０２）を有する一般的な直方体形のベース本体（１０）であって、
前記ベース本体（１０）には上面から底面に垂直に延びた硬化収納用の円筒状貫通孔（１１）が設けられ、
前記円筒状貫通孔（１１）には、略円形飾板からなるそれぞれの底壁（１１１）が設けられ、
前記略円形飾板からなるそれぞれの底壁（１１１）は前記ベース本体（１０）の底面方向から圧力を加えた時、前記円筒状貫通孔（１１）内にスライドし、
前記側面（１０２）には広告手段（２）を取り付ける為の領域（１０２０）が設けられ、
コインホルダーの前記ベース本体（１０）は、脱臭または芳香により空気を清浄にする機能を有する空気清浄材質を有するコインホルダー。
【請求項２】
上面（１００）とほぼ平行に設計された扁平な底面（１０１）及び側面（１０２）を有する直方体形のベース本体（１０）を備え、
前記ベース本体（１０）は、
前記ベース本体の上面（１００）から底面（１０１）に垂直に延びた硬化収納用の円筒状貫通孔（１１）と、
前記円筒状貫通孔（１１）の底に設けられる略円形飾板からなる底壁（１１１）と、
側面（１０２）に設けられた広告手段（２）を取り付ける為の領域（１０２０）と、
脱臭または芳香により空気を清浄にする機能を有する空気清浄材質と、を含み、
前記円筒状貫通孔（１１）は其々の底壁（１１１）に、ベース本体（１０）の底面（１０１）に圧力を加えた場合、前記略円形飾板が前記円筒状貫通孔（１１）内にスライドすることを特徴とするコインホルダー。
【請求項３】
前記ベース本体（１０）は、香りの材料である芳香部材からなることを特徴とする請求項１または２記載のコインホルダー。
【請求項４】
前記ベース本体（１０）は、香り要素（１２０）の筐体交換用の空間（１２）を有することを特徴とする請求項１から３のいずれか１項に記載のコインホルダー。
【請求項５】
少なくとも一つの前記円筒状貫通孔（１１）は、第１の逆円錐形部位からなるテーパ形状（１１２）から第２の円筒部（１１３）に延びていることを特徴とする請求項１から４のいずれか１項に記載のコインホルダー。
【請求項６】
前記第２の円筒部（１１３）には、入れたコインを保持するために、上面（１００）から垂直方向に延び、かつ前記円筒状貫通孔（１１）方向に等辺角で突起した突起部（１１３０）が設けられ、
前記突起部（１１３０）は、前記底壁（１１１）の配置溝（１１１０）と嵌合しながら前記底壁（１１１）が上下にスライドする場合のガイド機能を有することを特徴とする請求項５記載のコインホルダー。
【請求項７】
前記側面（１０２）は、溝を有する領域（１０２０）が設けられたことを特徴とする請求項１から６のいずれか１項に記載のコインホルダー。
【請求項８】
前記ベース本体（１０）は、一の突起付属（１３）を有することを特徴とする請求項１から７のいずれか１項に記載のコインホルダー。
【請求項９】
前記ベース本体（１０）および突起付属（１３）のうちいずれか一方または両方には、少なくとも１つのフック孔（１４）を有することを特徴とする請求項８記載のコインホルダー。
【請求項１０】
前記円筒状貫通孔（１１）の周囲には、コインに対応する値の文字または数字が表示形成されたことを特徴とする請求項１から９のいずれか１項に記載のコインホルダー。
【請求項１１】
前記第２の円筒部（１１３）および／または突起部（１１３０）の側壁には、格納コインの数量を示す横断マーク（１５）が形成されたことを特徴とする請求項６記載のコインホルダー。